(57)【要約】【課題】録画時または録画予約時に録画するための容量が不足した場合に、より適切な放送番組を残すことで、使い勝手を向上させた録画再生装置を提供する。【解決手段】入力部１２、符号化部１３、記録／読取部１４、制御部４等を備える。制御部４内には、録画予約プログラム５１等、録画指示プログラム５２、設定入力プログラム５３、優先度対応付プログラム５４、データテーブル６１等を設けている。録画予約プログラム５１や設定入力プログラム５３で設定するお気に入り度５２３、再生済み／未再生の情報からＤＶＤ１００またはＨＤ１４３内の動画ファイルの優先度のデータをまとめてデータテーブル６１として作成する。このデータテーブル６１とを比較して新たに録画する放送番組の優先度を比較して新たな放送番組の優先度が低ければ、録画しない。新たな放送番組の優先度が高ければ、ＤＶＤ１００またはＨＤ１４３内の動画ファイルの一部を削除する。【選択図】図１
2008109185.tif 000002
【特許請求の範囲】
【請求項１】
放送番組を受信して、受信した放送番組をランダムアクセス可能な記録媒体に録画し、前記録画した放送番組を再生する録画／再生手段と、
所定の放送番組の録画予約の指示を受け付ける録画予約手段と、を備えた録画再生装置において、
前記録画予約の指示を受ける放送番組および前記記録媒体に録画された録画ファイルについてのお気に入り度の入力を受け付けるお気に入り度入力手段と、
前記記録媒体の容量が前記放送番組を新たに録画するのに十分でないときに録画した録画ファイルのうちいずれを前記記録媒体内に残すかに関する優先度を各録画ファイルおよび前記録画予約する放送番組について決定するためのランク設定を、予め用意した複数の（前記お気に入り度、再生済み／未再生）の組み合わせについて順位の設定を受けることにより、受け付ける優先度ランク設定手段と、
前記記録媒体に録画された録画ファイルの優先度を、前記録画予約時に入力した該録画ファイルのお気に入り度、該録画ファイルの再生済み／未再生についての状態、および前記ランク設定に基づいて各々対応付ける優先度対応付手段と、
前記お気に入り度入力手段から入力した前記放送番組のお気に入り度に対応する優先度が、前記記録媒体に録画されている録画ファイルの優先度のいずれよりも低い場合には、前記予約された放送番組の録画をせず、前記お気に入り度入力手段から入力した前記放送番組のお気に入り度に対応する優先度が、前記記録媒体に録画されている録画ファイルの優先度のいずれかよりも高い場合には、前記記録媒体に記録されている録画ファイルの中で前記優先度が最も低いものを検索して削除した上で、前記録画の予約の指示を受けた放送番組の録画を開始する録画指示手段と、
前記記録媒体の容量が不足している場合であって新たに録画する場合に自動的に前記記録媒体内の動画ファイルを削除する削除設定を、予め受け付ける削除設定入力手段と、を備え、
前記録画指示手段は、前記削除設定がされている場合にのみ、前記検索して削除し、前記削除設定がされていない場合には前記録画の予約の指示を受けた放送番組の録画をしない録画再生装置。
【請求項２】
放送番組を受信して、受信した放送番組をランダムアクセス可能な記録媒体に録画し、前記録画した放送番組を再生する録画／再生手段と、
所定の放送番組の録画予約の指示を受け付ける録画予約手段と、を備えた録画再生装置において、
前記記録媒体の容量が前記放送番組を新たに録画するのに十分でないときに録画した録画ファイルのうちいずれを前記記録媒体内に残すかに関する優先度を各録画ファイルおよび前記録画予約する放送番組について決定するためのランク設定を、予め用意した前記お気に入り度を含む複数の指標の組み合わせについて順位設定の選択を受けることにより、受け付ける優先度ランク設定手段と、
前記記録媒体に録画された録画ファイルの優先度を、前記指標の状態および前記ランク設定に基づいて各々対応付ける優先度対応付手段と、
前記お気に入り度入力手段から入力した前記放送番組のお気に入り度に対応する優先度が、前記記録媒体に録画されている録画ファイルの優先度のいずれよりも低い場合には、前記予約された放送番組の録画をせず、前記お気に入り度入力手段から入力した前記放送番組のお気に入り度に対応する優先度が、前記記録媒体に録画されている録画ファイルの優先度のいずれかよりも高い場合には、前記記録媒体に記録されている録画ファイルの中で前記優先度が最も低いものを検索して削除した上で、前記録画の予約の指示を受けた放送番組の録画を開始する録画指示手段と、を備えた録画再生装置。
【請求項３】
前記記録媒体の容量が不足している場合であって新たに録画する場合に自動的に前記記録媒体内の動画ファイルを削除する削除設定を、予め受け付ける削除設定入力手段を備え、
前記録画指示手段は、前記削除設定がされている場合にのみ、前記検索して削除し、前記削除設定がされていない場合には前記録画の予約の指示を受けた放送番組の録画をしない請求項２に記載の録画再生装置。
【請求項４】
放送番組を受信して、受信した放送番組をランダムアクセス可能な記録媒体に録画し、前記録画した放送番組を再生する録画／再生手段と、
所定の放送番組の録画予約の指示を受け付ける録画予約手段と、
本体の状態をＯＳＤ表示する映像信号を出力するＯＳＤ表示出力手段と、を備えた録画再生装置において、
前記録画の予約の指示を受ける放送番組についてのお気に入り度の入力を受け付けるお気に入り度入力手段と、
前記記録媒体の容量が前記放送番組を新たに録画するのに十分でないときに録画した録画ファイルのうちいずれを前記記録媒体内に残すかに関する優先度を各録画ファイルおよび前記録画予約する放送番組について決定するためのランク設定を、予め用意した前記お気に入り度を含む複数の指標の組み合わせについて順位設定の選択を受けることにより、受け付ける優先度ランク設定手段と、
前記記録媒体に録画された録画ファイルの優先度を、前記指標の状態および前記ランク設定に基づいて各々対応付ける優先度対応付手段と、
前記録画予約手段は、
前記お気に入り度入力手段から入力した前記放送番組のお気に入り度に対応する優先度が、前記記録媒体に録画されている録画ファイルの優先度のいずれよりも低い場合には、前記予約が指示された放送番組の優先度が低い旨を警告表示する映像信号を前記ＯＳＤ表示出力手段に出力させ、
前記お気に入り度入力手段から入力した前記放送番組のお気に入り度に対応する優先度が、前記記録媒体に録画されている録画ファイルの優先度のいずれかよりも高い場合には、前記前記記録媒体に記録されている録画ファイルの中で前記優先度と、録画ファイルのサイズを基に、削除する録画ファイルの候補を表示する映像信号を前記ＯＳＤ表示出力手段に出力させる録画再生装置。
【請求項５】
前記記録媒体に記録された動画ファイルを前記動画ファイルのサイズの段階毎にクラス分けし、前記クラス分けした各々の中で、前記録画ファイル各々に結び付けられた優先度毎にクラス分けをするクラス分け手段を更に備え、
前記録画予約手段は、前記削除する録画ファイルの候補を表示する映像信号を出力させる場合に、前記サイズの段階を前記動画ファイルのサイズが大きい順に仕切った枠を並べ、その枠の中を前記優先度が低い順に前記動画ファイルを並べたＯＳＤ表示の映像信号を出力させる請求項４に記載の録画再生装置。
【請求項６】
前記優先度設定手段は、前記指標の組み合わせとして（前記お気に入り度、再生済み／未再生）の複数の組み合わせについて順位の設定を受ける請求項２〜５のいずれかに記載の録画再生装置。
【発明の詳細な説明】
【技術分野】
【０００１】
本発明は、ランダムアクセス可能な記録媒体に映像信号を記録する録画再生装置に関し、特に録画時または録画予約時に録画するための容量が不足した場合に行う処理に関する。
【背景技術】
【０００２】
従来よりランダムアクセス可能な記録媒体に映像信号を記録する録画再生装置、例えばＤＶＤレコーダについて、録画の容量を確保するための種々の提案がされている（特許文献１〜４参照）。
【０００３】
特許文献１には、録画の容量確保のため、所定基準に基づいて優先度を決め、優先度が低いものを削除する映像録画再生装置が開示されている。特許文献１には、ユーザにより優先度の設定を受け付けたり、録画時からの時間経過により決めたり、ユーザの録画傾向の情報を抽出して決めたり、再生回数、再生予定回数に応じて決める旨の記載がある。
【０００４】
特許文献２には、録画の容量確保のため、記録中断を防ぐため記録保持条件を設定し、これから外れたものを削除する放送番組記録装置が開示されている。特許文献２には、経過時間設定等ユーザが設定できるようにする旨の記載がある。
【０００５】
特許文献３には、容量不足が生じても録画するため、視聴済みで不要と判断したデータを削除するため、上書き順位フラグを設定し、視聴済みかどうか判断し、放送番組録画方法が開示されている。特許文献３では、ジャンル情報を順位フラグの１つとして含んでいる。
【０００６】
特許文献４には、容量不足が生じても録画するため、記録領域を整理するユーザが消去を希望していないのに、勝手に消去される問題を解決するため、所定の基準に従って削除したり、削除する管理画面を表示する放送番組記録装置が開示されている。
【特許文献１】特開２００４−３２８５９１公報
【特許文献２】特開２００３−２８９４９０公報
【特許文献３】特開２００１−１６７５２２公報
【特許文献４】特開２００１−１６０２６０公報
【発明の開示】
【発明が解決しようとする課題】
【０００７】
しかしながら、従来の録画再生装置では、新しく録画するためにすでに録画された放送番組を消去して整理するのが前提となっており、録画しないという選択ができなかった。例えば、シリーズ物のドラマで毎週火曜日の７時の放送番組を、見るかどうか分からないがとりあえず録画する場合に、すでに録画したものを残して録画しないという選択をすることができなかった。また、特許文献４等には、削除する管理画面を表示する旨が記載されているが、あくまで装置に設定された優先度を最も大きな枠組として振り分けものであり、たとえこの設定された優先度で優先順位をつけても、削除する動画ファイルのサイズが小さければ、複数消去せざるを得ず、操作が煩雑になる虞があった。
【０００８】
そこで、本発明は、録画時または録画予約時に録画するための容量が不足した場合に、より適切な放送番組を残すことで、使い勝手を向上させた録画再生装置を提供することを目的とする。
【課題を解決するための手段】
【０００９】
本発明は、上述の課題を解決するための手段を以下のように構成している。
【００１０】
（１）  放送番組を受信して、受信した放送番組をランダムアクセス可能な記録媒体に録画し、前記録画した放送番組を再生する録画／再生手段と、
所定の放送番組の録画予約の指示を受け付ける録画予約手段と、を備えた録画再生装置において、
前記記録媒体の容量が前記放送番組を新たに録画するのに十分でないときに録画した録画ファイルのうちいずれを前記記録媒体内に残すかに関する優先度を各録画ファイルおよび前記録画予約する放送番組について決定するためのランク設定を、予め用意した前記お気に入り度を含む複数の指標の組み合わせについて順位設定の選択を受けることにより、受け付ける優先度ランク設定手段と、
前記記録媒体に録画された録画ファイルの優先度を、前記指標の状態および前記ランク設定に基づいて各々対応付ける優先度対応付手段と、
前記お気に入り度入力手段から入力した前記放送番組のお気に入り度に対応する優先度が、前記記録媒体に録画されている録画ファイルの優先度のいずれよりも低い場合には、前記予約された放送番組の録画をせず、前記お気に入り度入力手段から入力した前記放送番組のお気に入り度に対応する優先度が、前記記録媒体に録画されている録画ファイルの優先度のいずれかよりも高い場合には、前記記録媒体に記録されている録画ファイルの中で前記優先度が最も低いものを検索して削除した上で、前記録画の予約の指示を受けた放送番組の録画を開始する録画指示手段と、を備えた。
【００１１】
この構成では、お気に入り度入力手段により、前記録画の予約の指示を受ける放送番組および前記記録媒体に録画された録画ファイルについてのお気に入り度の入力を受け付けている。また、優先度ランク設定手段により、お気に入り度を含む複数の指標の組み合わせについて選択を受けることにより、優先度のランク設定を受けることができる。
【００１２】
これにより、すでに記録媒体に録画された録画ファイル、録画予約の指示を受け付けた放送番組の優先度を各々対応付けることができる。このうちすでに記録媒体に録画された録画ファイルについては、優先度対応付手段がこれらを対応付ける。録画予約の指示を受け付けた放送番組についても対応付けることができる。
【００１３】
そして、前記お気に入り度入力手段から入力した前記放送番組のお気に入り度に対応する優先度が、前記記録媒体に録画されている録画ファイルの優先度のいずれよりも低い場合には、前記予約された放送番組の録画をしない。したがって、例えば、シリーズ物のドラマで毎週火曜日の７時の放送番組を、見るかどうか分からないがとりあえず録画する場合には、ユーザは、録画時の記憶媒体の容量によっては、すでに録画したものを残して録画しないという選択をすることができる。したがって、録画したいファイルよりも重要なものがすでに記録媒体に録画されている場合に、記録媒体内を整理するため動画ファイルの一部を自動削除することがない。また、ユーザが記録媒体内を整理するよう要求されたり、シリーズ物の録画についてユーザがいちいち確認を要求されたりするような使い勝手の悪さを改善できる。そして、録画の優先度を落とした設定にしておけば、記憶媒体内部がいっぱいになった場合には、すでに録画したものを一部削除して整理することはない。したがって、記録媒体がいっぱいになるまで、シリーズ物のドラマ等を録画でき、いっぱいになったら、ユーザに作業を要求することなく、新たな録画をキャンセルできる。
【００１４】
（２）  前記記録媒体の容量が不足している場合であって新たに録画する場合に自動的に前記記録媒体内の動画ファイルを削除する削除設定を、予め受け付ける削除設定入力手段を備え、
前記録画指示手段は、前記削除設定がされている場合にのみ、前記検索して削除し、前記削除設定がされていない場合には前記録画の予約の指示を受けた放送番組の録画をしない。
【００１５】
この構成では削除設定入力手段を備えているので、ユーザが知らない間に削除される虞を回避できる。
【００１６】
（３）  放送番組を受信して、受信した放送番組をランダムアクセス可能な記録媒体に録画し、前記録画した放送番組を再生する録画／再生手段と、
所定の放送番組の録画予約の指示を受け付ける録画予約手段と、
本体の状態をＯＳＤ表示する映像信号を出力するＯＳＤ表示出力手段と、を備えた録画再生装置において、
前記録画の予約の指示を受ける放送番組についてのお気に入り度の入力を受け付けるお気に入り度入力手段と、
前記記録媒体の容量が前記放送番組を新たに録画するのに十分でないときに録画した録画ファイルのうちいずれを前記記録媒体内に残すかに関する優先度を各録画ファイルおよび前記録画予約する放送番組について決定するためのランク設定を、予め用意した前記お気に入り度を含む複数の指標の組み合わせについて順位設定の選択を受けることにより、受け付ける優先度ランク設定手段と、
前記記録媒体に録画された録画ファイルの優先度を、前記指標の状態および前記ランク設定に基づいて各々対応付ける優先度対応付手段と、
前記録画予約手段は、
前記お気に入り度入力手段から入力した前記放送番組のお気に入り度に対応する優先度が、前記記録媒体に録画されている録画ファイルの優先度のいずれよりも低い場合には、前記予約が指示された放送番組の優先度が低い旨を警告表示する映像信号を前記ＯＳＤ表示出力手段に出力させ、
前記お気に入り度入力手段から入力した前記放送番組のお気に入り度に対応する優先度が、前記記録媒体に録画されている録画ファイルの優先度のいずれかよりも高い場合には、前記前記記録媒体に記録されている録画ファイルの中で前記優先度と、録画ファイルのサイズを基に、削除する録画ファイルの候補を表示する映像信号を前記ＯＳＤ表示出力手段に出力させる。
【００１７】
この構成では、前記お気に入り度入力手段から入力した前記放送番組のお気に入り度に対応する優先度が、前記記録媒体に録画されている録画ファイルの優先度のいずれよりも低い場合には、予約された放送番組の優先度が低い旨を警告表示する。したがって、ユーザは、この警告表示に基づいてすでに録画したものを残して録画しないという選択をすることができる。したがって、シリーズ物の録画ができないとするような使い勝手の悪さを改善できる。したがって、記録媒体がいっぱいになるまで、シリーズ物のドラマ等を録画でき、いっぱいになったら、ユーザに作業を要求することなく、新たな録画をキャンセルできる。
【００１８】
（４）  前記記録媒体に記録された動画ファイルを前記動画ファイルのサイズの段階毎にクラス分けし、前記クラス分けした各々の中で、前記録画ファイル各々に結び付けられた優先度毎にクラス分けをするクラス分け手段を更に備え、
前記録画予約手段は、前記削除する録画ファイルの候補を表示する映像信号を出力させる場合に、前記サイズの段階を前記動画ファイルのサイズが大きい順に仕切った枠を並べ、その枠の中を前記優先度が低い順に前記動画ファイルを並べたＯＳＤ表示の映像信号を出力させる。
【００１９】
ユーザとしては、優先度が、削除するか否かが絶対的な基準ではなく、大きい動画ファイルを削除して、早く新たな放送番組を録画したい場合がある。このような場合に、優先度が小さいものを最も大きなまとまりとして区分けすると、大きい動画サイズの動画ファイルでも後ろのほうに並べ替えの順序が来てしまい、ユーザをいらいらさせ、却って使い勝手がよくない場合がある。
【００２０】
そこで、この構成では、大きいサイズの動画ファイルが並べ替えの順序が先に来ることとしている。しかし、単に大きさ順に並べるとすると、各動画ファイルの大きさは、同じものがほとんどない。したがって、その中で優先度順に並べても動画ファイルが１つ程度しか含まれず、サイズ順に並べているのとほとんど同じになり、優先度を定めた意味がなくなってしまう。そこで、この構成では、前記サイズの段階を前記動画ファイルのサイズが大きい順に仕切った枠を並べ、その枠の中を前記優先度が低い順に前記動画ファイルを並べることとしている。このようにサイズを段階的に並べているので、同等のサイズの動画ファイルの中で、優先度が低いものをユーザが選択できる。したがって、細々したサイズの動画ファイルよりも、大きなサイズの動画ファイルを削除する候補として優先的に表示するから、ユーザは、より大きなサイズの動画ファイルを消去し易くなり、数少ない動作で、能率よく記録媒体内の動画ファイルを整理できる。
【００２１】
なお、従来技術において、動画ファイルのサイズを最優先にしたソートして並べていなかったのは、優先度の設定が確実に有効であることを前提としており、また、各動画ファイルをサイズ順に並べると、各動画ファイルの大きさは、同じものがほとんどないからサイズのソートだけが優先されてしまうからだと考えられる。
【００２２】
（５）  以上の構成において、前記優先度設定手段は、前記指標の組み合わせとして（前記お気に入り度、再生済み／未再生）の複数の組み合わせについて順位の設定を受けてもよい。
この場合において、録画予約時に対応付ける優先度は、（録画予約時に設定したお気に入り度、未再生）に対応する、優先度入力手段で選択した順位設定となる。
【発明の効果】
【００２３】
記録媒体の容量が不足する虞がある場合であって、見るかどうか分からないがとりあえず録画する場合には、ユーザは、録画時の記憶媒体の容量によっては、すでに録画したものを残して録画しないという選択をすることができる。したがって、装置が自動削除するか、ユーザが記録媒体内を整理するよう要求されるか、シリーズ物の録画ができないとするような使い勝手の悪さを改善できる。したがって、録画再生装置の使い勝手を向上できる。
【発明を実施するための最良の形態】
【００２４】
図１は、この発明の実施形態であるＤＶＤレコーダ（１で図示。）の主要部の構成を示すブロック図である。この実施形態のＤＶＤレコーダ１は、ＤＶＤ、ハードディスクに対するタイトルの記録（録画）、およびＤＶＤに記録されているタイトルの再生を行う。
【００２５】
この実施形態のＤＶＤレコーダ１にマウント可能なＤＶＤ１００は、書き換え可能なＤＶＤ−ＲＷなどや、追記可能な光ディスクＤＶＤ−Ｒなどであるが、後述の図２、図４のフローを実行するためには、書き換え可能な光ディスクが必要となる。
【００２６】
入力部１２には、アナログ形式の映像信号、音声信号が入力される。アンテナ（不図示）で受信されたアナログ形式のテレビ放送信号や、ＶＨＳテープのドライブから入力されたアナログ形式の映像信号、音声信号を入力する。
【００２７】
符号化部１３は、入力部１２で入力したアナログ形式の映像信号および音声信号をデジタル信号に変換して、これらをエンコードする。符号化部１３は、このエンコードしたデータを記録／読取部１４に出力する。
【００２８】
記録／読取部１４は、符号化部１３が生成したデータをＤＶＤ１００に記録する処理や、ＤＶＤ１００に記録されているタイトルの記録データを読み取る処理を行う。記録／読取部１４は、光ディスク記録／読取部１４１とハードディスクドライブ１４２（ＨＤＤ１４２と略す）とを備える。
【００２９】
光ディスク記録／読取部１４１は、ＤＶＤ１００にレーザ光を照射し、その反射光を検出するピックアップヘッド（不図示）や、ＤＶＤ１００に照射しているレーザ光の照射位置を制御するフォーカスサーボ制御やトラッキングサーボ制御等を行うサーボ制御部（不図示）等を有している。データの記録時には、記録／読取部１４は、ＤＶＤ１００に照射するレーザ光を、ＤＶＤ１００に記録する記録データに基づいて変調する記録制御を行う。また、ＤＶＤ１００に記録されているデータを読み取って増幅したＲＦ信号をデコーダ１５に入力する。また、光ディスク記録／読取部１４１は、記録／読取部１４が読み取ったＲＦ信号から、映像データ、および音声データを抽出する。
【００３０】
ＨＤＤ１４２は、符号化部１３でエンコードされたデータをハードディスク１４３（ＨＤ１４３と略す）に記録する。また、ＨＤＤ１４２は、ＨＤ１４３に記録されたデータを読み取って、デコーダ１５に送る。
【００３１】
なお、映像信号（これに付随する音声信号を含む）を記録／読取部１４に記録することを録画するといい、記録／読取部１４に記録された映像信号（これに付随する音声信号を含む）を表示装置１０１、スピーカ１０２に出力することを再生という。
【００３２】
デコーダ１５は記録／読取部１４で読み取ったデータをデコードし、デコードした映像データ、および音声データをＤ／Ａ変換して、ＯＳＤ合成部１６に入力する。
【００３３】
ＯＳＤ合成部１６（オンスクリーンディスプレイ）は、単独で、または本体の設定情報等各種の情報を表示する映像信号を生成する。またデコーダ１５から映像信号が出力されている場合には、この映像信号と合成する。
【００３４】
出力部１７は、読取信号処理部１５で処理された記録データをＤ／Ａ変換して、再生信号を出力する。出力部１７には、映像を表示する表示装置１１や、音声を放出するスピーカ１２が接続されている。出力部１７は、読取信号処理部１５から入力された映像データに基づく映像信号、音声信号を同期させて出力する。タイマー１９は、時間を測定するものであり、録画指示プログラム５２で録画指示をするタイミングを測定するのに用いる。
【００３５】
操作部３は、装置本体に対する入力操作を受け付ける。操作部３は、複数の操作キーや、図示していないリモコン装置から送信されてきた装置本体に対する制御コードを受信するリモコン受信部を有している。操作部３は、ユーザにより操作された操作キーに応じた入力を受け付け、これらに対応したコードや、リモコン受信部で受信した制御コードを制御部９に伝達する。例えば操作部３は、録画（即ち、映像信号のＤＶＤ１００への記録）の指示や、録画の予約の指示入力を受け付ける。
【００３６】
制御部４は、ＣＰＵ、制御データ格納用のＲＯＭ５、ＲＡＭ６を備え、操作部３で受け付けた入力に基づいて、以上で示した各部の動作を制御する。ＲＯＭ５には、録画予約プログラム５１、優先度算出プログラム５２、設定入力プログラム５３、録画指示プログラム５４、クラス分けプログラム５５が記録されている。また、ＲＡＭ６は、ＲＯＭ５内部のプログラムで計算した結果を一時的に記憶するものであり、データテーブル６１を記憶している。
【００３７】
制御部４は、録画予約プログラム５１を実行すると、電子番組表を表示すると共に、操作部３により電子番組表の中から放送番組の選択を受け付ける。また、選択された放送番組から、録画する時間、チャンネルを抽出して、ＲＡＭ６に記憶するか、またはＨＤ１４３に記録する。また、制御部４はこのプログラムの実行中に、録画予約を完了する前に、お気に入り度の選択を「高」、「中」、「低」の３段階で受け付ける。なお、録画予約プログラム５１では、ユーザから録画予定時間Ｔ［Ｈ］、録画予定時刻、録画するテレビのチャンネル番号を受け付けて、録画の予約をしてもよい。
【００３８】
録画指示プログラム５２は、所定時間毎に呼び出され、タイマー１９を参照し、録画予約プログラム５１で受け付けた放送番組の録画開始時刻と比較する。この録画指示プログラム５２は、録画開始時刻になった場合には、録画予約プログラム５１で抽出したチャンネルで、入力部１２、符号化部１３、記録／読取部１４に録画を開始させる。録画予約プログラム５１で抽出した録画時間が終了すると、録画を終了させる。
【００３９】
設定入力プログラム５３は、操作部３の所定の初期設定キー操作により呼び出される。制御部４が設定入力プログラム５３を実行すると、初期設定の項目選択の表示をするため、ＧＵＩのデータをＯＳＤ合成部１６に出力し、項目選択を操作部３から受け付ける。この項目には、お気に入り度５２１、優先度５２２、自動削除設定５２３等の各種設定が含まれる。お気に入り度５２１の設定では、前述した録画予約プログラム５１での設定と同様、ＤＶＤ１００またはＨＤ１４３に記録された動画ファイルのお気に入り度、即ち動画ファイルの重要度の設定を受け付ける。優先度５２２の設定は、（お気に入り度、再生済み／未再生）の指標の組み合わせから、複数の組み合わせの順位選択により受け付ける。例えば、
（お気に入り度高、未再生）  順位１
（お気に入り度高、再生済み）  順位２
（お気に入り度中、未再生）  順位３
（お気に入り度中、再生済み）  順位４
（お気に入り度低、未再生）  順位５
（お気に入り度低、再生済み）  順位６
の６つの選択肢を表示し、この中からユーザの選択により順位付けを受け付ける。この順位１〜６以外は、設定入力プログラム５３の実行時に表示装置１０１に予め表示され、順位１〜６のいずれか１つをハイライト表示し、ユーザが順位を選択する。なお、上で示したように優先度の順位が設定されているとすると、録画予約プログラム５１で、例えばお気に入り度を中に設定すると、その放送番組については、未再生であるから優先度は３となる。
【００４０】
自動削除設定５２３をオンにした場合、新たに録画するとＤＶＤ１００またはＨＤ１４３の記録領域が不足する状態になったときに、優先度５２２が低いものを自動的に整理した上で新たな録画をする。自動削除設定５２３をオフにした場合、録画予約プログラム５１で録画できない旨の表示をする。このような設定がされた上で優先度５２２が低いものを自動的に整理するので、ユーザが知らない間に削除されたというような問題を回避できる。
【００４１】
優先度対応付プログラム５４は、優先度５２２の設定に基づいて、各動画ファイルの優先度を対応付ける。ＲＡＭ６内に（動画ファイル、お気に入り度、優先度）を結び付けたものをデータテーブル６１として記憶する。優先度対応付プログラム５４は、優先度５２２、お気に入り度５２３の設定が変更されたときにも呼び出され、制御部４は、データテーブル６１を修正する。なお、データテーブル６１をＨＤ１４３の内部に設けても良い。
【００４２】
ＤＶＤレコーダ１の外には、表示装置１１とスピーカ１２を備える。表示装置１１は、出力部１７から出力された再生映像信号に基づく映像を表示する。スピーカ１２は、出力部１７から出力された音声信号を音声に変換して放出する。
【００４３】
図２のフロー図を用いて、ＤＶＤレコーダ１の録画処理について説明する。この処理は、ユーザにより録画予約が指示された場合に、制御部４が録画指示プログラム５２で行う処理である。
Ｓ１では、制御部４は、録画予約プログラム５１で抽出した放送番組の時間、画質から計算して、新たな録画をするとＤＶＤ１００またはＨＤ１４３内が不足するか判断する。不足する場合（Ｓ１のＹ）には、Ｓ２に移動する。不足しない場合には（Ｓ１のＮ）、Ｓ６に移動し、Ｓ６では、予約した放送番組の開始時刻になったときに録画を開始する。
Ｓ２では、更に設定入力プログラム５３の自動削除設定５２３がオンになっているか判断する。オンになっている場合には（Ｓ２のＹ）、Ｓ３に移動する。自動削除設定５２３がオフになっている場合には（Ｓ２のＮ）、このままでは容量不足で録画することができないから、Ｓ７に移動して録画をキャンセルし、フローは終了する。
Ｓ３では、録画予約された放送番組の優先度（優先度１とする。）と、データテーブル６１に記録された記録媒体の動画ファイルの優先度２（優先度２とする。）をすべて比較する。Ｓ４では、比較した結果、記録媒体内の動画ファイルいずれかについて優先度１＞優先度２であれば（Ｓ４のＹ）、Ｓ５に移動して、記憶媒体（ＤＶＤ１００、ＨＤ１４３）内部の動画ファイルのいずれかを整理するため、データテーブル６１の中から優先度の低いものを選択して自動削除する。その後、Ｓ６に移動して、予約した放送番組の開始時刻になったときに録画を開始する。
【００４４】
一方、Ｓ４で録画予約された放送番組の優先度１が記録媒体の動画ファイルの優先度２のいずれよりも低い場合には（Ｓ４のＮ）、録画予約されたとしても、Ｓ７で録画をキャンセルし、フローは終了する。このフローにより、例えば、シリーズ物のドラマで毎週火曜日の７時の放送番組を、見るかどうか分からないがとりあえず録画する場合には、ユーザは、録画時の記憶媒体（ＤＶＤ１００、ＨＤ１４３）の容量によっては、すでに録画したものを残して録画しないという選択をすることができる。ユーザがこのシリーズ物の録画の優先度を落とした設定にしておけば、記憶媒体（ＤＶＤ１００、ＨＤ１４３）内部がいっぱいになった場合には、すでに録画したものを一部削除して整理することはない。
【００４５】
なお、この実施形態では、Ｓ６の録画したものを一部削除して整理する処理は、録画予約以降、録画時までに行う。例えば、録画直前に行えばよい。このように録画直前にすれば、Ｓ２で自動削除設定がされている場合には、直前に記憶媒体の中身が整理されるので、別の放送番組を録画するという処理を受け入れることができる。したがって、録画予約された放送番組が開始するまで別のものを録画できないといった問題は生じない。また、この別の放送番組を録画する直前にも、Ｓ３の優先度の比較をする。
【００４６】
次に、図３を用いて、第１の実施形態の応用に係る第２の実施形態のＤＶＤレコーダ１Ａの構成について説明する。この実施形態では、ＲＯＭ５内にクラス分けプログラム５５が記録されており、ＲＡＭ６内で、削除候補データ６２を作成する点が異なる。他は第１の実施形態のＤＶＤレコーダ１と同じ構成なので以上の説明を準用する。また、この第１の実施形態のＤＶＤレコーダ１では、図２のＳ６のように記憶媒体内を自動削除せず、削除の際には、削除候補を示してユーザに確認をとるので、自動削除設定５３１を必ずしも必要としない。クラス分けプログラム５５、削除候補データ６２は、この削除候補を表示するデータを作成するためのものである。
【００４７】
クラス分けプログラム５５は、録画予約プログラム５１のサブフローのプログラムである。クラス分けプログラム５５は更に以下の２つのサブプログラムに分かれる。第１のサブプログラムにより、制御部４は、前記動画ファイルの容量の段階毎の第１のクラスにクラス分けする。第２のサブプログラムにより、制御部４は、前記第１のクラス各々の中で、前記録画ファイル各々に結び付けられた優先度毎の第２のクラスにクラス分けをする。制御部４は、このクラス分けプログラム５５により、クラス分けした結果を基に、削除候補データ６２を作成する。削除候補データ６２は、適切な録画データの候補をユーザに提示するＯＳＤである。
【００４８】
図４を用いて、削除候補データ６２のＯＳＤの表示例について説明する。この表示例では、予約された放送番組のデータと、不足する容量と、記憶媒体（ＤＶＤ１００、ＨＤ１４３）から削除する動画ファイルの候補を表示する。図４に示す欄をすべて表示する必要はないが、少なくとも、記憶媒体（ＤＶＤ１００、ＨＤ１４３）から削除する動画ファイルの候補に加え、不足する容量を表示するのが望ましい。
【００４９】
図４に示すように、予約された放送番組のデータについては、録画ファイルの予定サイズ、優先度、お気に入り度を表示する。削除する動画ファイルの候補については、動画ファイルのサイズを段階毎に仕切って、その中をさらにデータテーブル６１に記録された優先度順に並べたものを表示する。ユーザとしては、優先度が削除するか否かが絶対的な基準ではなく、大きい動画ファイルを削除して、早く新たな放送番組を録画したい場合がある。このような場合に、優先度順に区分けすると、大きい動画サイズの動画ファイルでも後ろの方に並べ替えの順序が来てしまい、却って使い勝手がよくない場合がある。そこで、本実施形態のＤＶＤレコーダ１は、大きいサイズの動画ファイルが必ず並べ替えの順序が先に来るようにした。しかし、単に大きさ順に並べると、各動画ファイルの大きさは、同じものがほとんどない。したがって、その中で優先度順に並べても動画ファイルが１つ程度しか含まれず、サイズ順に並べているのとほとんど同じになり、優先度５２２を定めた意味がなくなってしまう。そこで、この構成では、所定の大きさ毎に段階的に並べて、その中のより小さなまとまりとして設定した優先度の順に並べることとしている。
【００５０】
なお、図４の例では、記録媒体に記録された録画データそれぞれの容量を記載していないが、これらを記載しても良い。これにより、削除する動画ファイルの候補をより的確にユーザに示すことができる。
【００５１】
図５のフロー図を用いて、録画予約プログラム５１の動作について説明する。図５の処理は、操作部３により録画する放送番組の選択がされ、録画時間、チャンネルを抽出して、ＲＡＭ６に記憶するか、またはＨＤ１４３に録画した後に行う処理である。
【００５２】
Ｓ１１では、制御部４は、録画予約プログラム５１で抽出した放送番組の時間、画質から計算して、新たな録画をするとＤＶＤ１００またはＨＤ１４３内が不足するか判断する。不足する場合（Ｓ１１のＹ）には、Ｓ１２に移動する。不足しない場合には（Ｓ１１のＮ）、Ｓ１６に移動し、Ｓ１６では、録画予約の設定を完了する。その後録画予約プログラム５１のフローは終了し、制御部４は、録画指示プログラム５２で予約した放送番組の開始時刻になったときに録画を開始する。
Ｓ１２では、録画予約された放送番組の優先度（優先度１とする。）と、データテーブル６１に記録された記録媒体内の動画ファイルの優先度２（優先度２とする。）をすべて比較する。Ｓ１３では、比較した結果、記録媒体内の動画ファイルいずれかについて優先度１＞優先度２であれば（Ｓ１３のＹ）、Ｓ１４に移動する。
【００５３】
一方、Ｓ１３で録画予約された放送番組の優先度１が記録媒体の動画ファイルの優先度２のいずれよりも低い場合には（Ｓ１３のＮ）、Ｓ１８に移動して録画予約できない旨の警告表示のＯＳＤを表示させて、Ｓ１９で録画予約をキャンセルし、フローは終了する。なお、この（Ｓ１３のＮ）の処理の効果については前述した（Ｓ４のＮ）の処理と同様である。
【００５４】
Ｓ１４、Ｓ１５では、記憶媒体（ＤＶＤ１００、ＨＤ１４３）内部の動画ファイルのいずれかを整理するために適切な録画データの候補をユーザに提示する処理を行う。Ｓ１４では、クラス分けプログラム５５を実行し、Ｓ１６では、図４で示したような一覧を表示装置１０１に表示する。その後、Ｓ１６に移動する。
【００５５】
Ｓ１６では、この候補がユーザにより選択されるまで（Ｓ１６のＮ）待機して、選択されれば（Ｓ１６のＹ）、Ｓ１７に移動して録画予約の設定を完了する。その後、フローは終了する。
【００５６】
なお、以上の実施形態では、光ディスクとしてＤＶＤ１００を用いたが、ＤＶＤ本実施形態のＤＶＤに限らず、フラッシュメモリ、その他の光ディスクその他ランダムアクセス可能な記録媒体に記録する場合でも、本装置を応用できる。また、以上の実施形態では、ＤＶＤ１００、ＨＤ１４３いずれについても記録、読取をするとしたが、いずれか一方でも良い。
【００５７】
さらに、以上の２つの実施形態は、同一のＤＶＤレコーダ１で実施することが可能である。例えば、録画の予約時に記録媒体内を整理する設定を行う第２実施形態の動作を行なった後、別の録画を受け付けて記録容量が小さくなった場合には、第１実施形態の動作に基づいて、記録媒体内のどの動画ファイルを削除した上で録画するか、または新たな録画しないかを決定できる。
【図面の簡単な説明】
【００５８】
【図１】第１実施形態のＤＶＤレコーダの構成図
【図２】第１実施形態のフロー
【図３】第２実施形態のＤＶＤレコーダの構成図
【図４】第２実施形態のＤＶＤレコーダで録画容量が少ないときに容量を整理する候補を表示する表示例
【図５】第２実施形態のフロー
【符号の説明】
【００５９】
１−ＤＶＤレコーダ、  １２−入力部、  １３−符号化部、
１４−記録／読取部、  １５−読取信号処理部、
１６−ＯＳＤ合成部、  １７−出力部、  １９−タイマー
１４１ａ−ハードディスク（ＨＤ）、  ３−操作部、
４−制御部、  ５−ＲＯＭ、  ６−ＲＡＭ、
５１−録画予約プログラム、  ５２−録画指示プログラム、
５３−設定入力プログラム、  ５３１−自動削除設定、
５３２−優先度、  ５３３−お気に入り度、
５４−優先度対応付プログラム、  ５５−クラス分けプログラム、
６１−データテーブル、  ６２−削除候補データ、
１００−ＤＶＤ、  １０１−表示装置、  １０２−スピーカ
【図１】
2008109185.tif 000003
【図２】
2008109185.tif 000004
【図３】
2008109185.tif 000005
【図４】
2008109185.tif 000006
【図５】
2008109185.tif 000007